(57)【要約】【課題】  複数の操作用ツマミを有する従来技術においては、使用者がツマミを操作している間やその後一定時間の間に、使用者の意図しない状況で他の操作用ツマミに接触したとき、他の操作用ツマミの入力が受け付けられるため、使用者の操作の混乱を招く恐れがあり、操作性の低下につながる。【解決手段】  複数の操作用ツマミＡ，Ｂ，Ｃを有する加熱調理器（電子レンジ）において、複数の操作用ツマミＡ〜Ｃのうち１つの操作用ツマミを操作している間およびその後一定時間は、他の操作用ツマミの操作入力を受け付けないよう制御する制御手段（制御回路５７）を備えた。【選択図】        図３
2006105427.tif 000002
【特許請求の範囲】
【請求項１】
複数の操作用ツマミを有する加熱調理器において、
前記複数の操作用ツマミのうち１つの操作用ツマミを操作している間およびその後一定時間は、他の操作用ツマミの操作入力を受け付けないよう制御する制御手段を備えたことを特徴とする加熱調理器。
【請求項２】
前記複数の操作用ツマミを近接して配置したことを特徴とする請求項１に記載の加熱調理器。
【請求項３】
前記制御手段は、前記操作用ツマミの操作入力を受け付けた後に報知手段を用いて次の操作対象を指示することを特徴とする請求項１または請求項２のうちいずれか１つに記載の加熱調理器。
【請求項４】
前記複数の操作用ツマミのうち少なくとも１つの操作用ツマミに複数の機能が割り当てられていることを特徴とする請求項１〜請求項３のうちいずれか１つに記載の加熱調理器。
【発明の詳細な説明】
【技術分野】
【０００１】
本発明は電子レンジ等の加熱調理器に係わり、特に複数の操作用ツマミを有するものに関する。
【背景技術】
【０００２】
複数の操作用ツマミを有する従来技術としては、例えば特許文献１に開示されているように、温度調節ツマミと、時間や重量設定用のツマミの２つのツマミを備えたものが知られている。
【０００３】
かかる構成において、温度調節ツマミは温度設定用で、他方のつまみは設定時間合わせ機能と重量設定機能とを有しており、解凍モードが選択された場合には重量設定用のつまみとして機能し、その他のモードが選択された場合には設定時間合わせ用のつまみとして機能するようになっている。
【特許文献１】特開平９−１１９６４７号公報
【発明の開示】
【発明が解決しようとする課題】
【０００４】
しかしながら、上記特許文献１に記載のものでは、図７のフロー図やそれに対応する段落００１４の記載から明らかなように、１つのツマミを操作している間およびその後一定時間も他の操作用ツマミの操作入力を受け付けるように制御されている。これは、特許文献１の段落００１４に、図７を参照して「例えばＡの状態でつまみ２２を回して温度を設定するかそのまま３秒間操作を行なわないとＢに進みつまみ２３によるタイマ入力待機状態になる。タイマ入力がされるとＣのスタート待機状態になるが、Ａの状態からつまみ２３を操作して直接Ｃのスタート待機状態に移行することができる。一方、Ｇの状態からつまみ２２で予熱温度を設定するか３秒経過するとＨに移行してつまみ２３による予熱タイマ入力待機状態になり、つまみ２３によりタイマ入力されるとＩの予熱スタート待機状態になる。また、Ｇの状態からつまみ２３によるタイマ入力により直接Ｉに移行することができる。」と記載されていることから明らかである。
【０００５】
このように、複数の操作用ツマミを有する従来技術においては、使用者がツマミを操作している間やその後一定時間の間に、使用者の意図しない状況で他の操作用ツマミに接触したとき、他の操作用ツマミの入力が受け付けられるため、使用者の操作の混乱を招く恐れがあり、操作性の低下につながる。
【０００６】
なお、複数の操作用ツマミ間の間隔を十分にとれば、１つのツマミを操作している間や操作後に手を移動する際等に他のツマミに接触するのをある程度防ぐことはできるが、その分、操作部のスペースを広くしなければならない。
【０００７】
本発明はかかる課題を解決するためになされたものである。
【課題を解決するための手段】
【０００８】
そこで、本発明は、複数の操作用ツマミを有する加熱調理器において、前記複数の操作用ツマミのうち１つの操作用ツマミを操作している間およびその後一定時間は、他の操作用ツマミの操作入力を受け付けないよう制御する制御手段を備えたことを特徴とする。
【０００９】
また、前記複数の操作用ツマミを近接して配置したことを特徴とする。
【００１０】
さらに、前記制御手段は、前記操作用ツマミの操作入力を受け付けた後に報知手段を用いて次の操作対象を指示することを特徴とする。
【００１１】
また、前記複数の操作用ツマミのうち少なくとも１つの操作用ツマミに複数の機能が割り当てられていることを特徴とする。
【発明の効果】
【００１２】
本発明によれば、１つのツマミを操作している間およびその後一定時間、他のツマミの操作入力を受け付けないように制御することから、使用者が１つのツマミを操作している間および操作後に手を移動する際等、使用者の意図しない状況で他のツマミに接触したときにも、その操作入力は受け付けられないので混乱を招くことなく意図している操作を継続することができ、操作性の向上につなげることができる。
【００１３】
また、複数の操作用ツマミを近接して配置したことにより、本来相反する操作性の向上と操作部の省スペース化を共に実現することができ、その分、表示部等を大型化することも可能となる。
【００１４】
さらに、操作用ツマミの操作入力を受け付けた後に報知手段を用いて次の操作対象を指示することにより、使用者は次に操作すべき操作対象を容易に知ることができるので、更なる操作性の向上を図ることができる。
【００１５】
また、複数の操作用ツマミのうち少なくとも１つの操作用ツマミに複数の機能が割り当てられていることにより、ツマミの数を少なくできるので、更なる省スペース化を図ることができる。
【発明を実施するための最良の形態】
【００１６】
図１及び図２において、１は本発明の加熱調理器の一実施形態である電子レンジ本体、２は食品を収納する加熱室、３は加熱室２の前面開口を開閉するドア、４は電子レンジ本体（オーブンレンジ）１に加熱条件の設定や加熱開始の指示を行う操作部４ａや設定条件や残り加熱時間などを表示する表示部４ｂを有するコントロールパネルである。上記操作部４ａについては後で詳述するが、表示部４ｂは多くの情報を見やすく表示できるように大型の液晶表示器が用いれている。
【００１７】
前記加熱室２は、上面２ａ、下面２ｂ、左側面２ｃ、右側面２ｄ及び後面２ｅから構成されており、下面２ｂには下方に図示しないマグネトロンから供給されるマイクロ波を拡散する回転アンテナが配置され、該回転アンテナから放射されるマイクロ波を透過する食品載置板５を配置している。即ち、加熱室２内へのマイクロ波の供給は食品載置板５を介して行われるのである。
【００１８】
６は底部の外壁面（裏面）にマイクロ波を吸収して発熱する発熱体を有する角皿、７は角皿６に載置される蒸し調理用のすのこ、８はすのこ７の上面開口を閉塞するすのこ蓋である。９は加熱室２の左側面２ｃ及び右側面２ｄの上部に配置した角皿６の載置用上部レール、１０は同じく加熱室２の左側面２ｃ及び右側面２ｄの中央よりやや下部に配置した角皿６の載置用中央レール、１１は加熱室２の左側面２ｃ及び右側面２ｄの下部に配置した角皿６の載置用下部レールである。つまり、載置用上部レール９に角皿６を載置したときは上面２ａ近くに角皿６が配置されることになり、載置用中央レール１０に角皿６が載置されたときは、角皿６は加熱室２内の中央と食品載置板５との中間位置に配置され、さらに載置用下部レール１１に角皿６が載置されたときは、載置用中央レール１０の少し下部で、開放したドア３に角皿６を載置し加熱室３内に押し込んだとき、自動的にレール上に導かれる高さ、すなわちほぼ食品載置板５の直上付近に角皿６が配置される。
【００１９】
前記角皿６、すのこ７及びすのこ蓋８は、角皿６内に水を貯留し、裏面の発熱体の熱により加熱して蒸気を発生させ、すのこ７内に蒸気を供給して、すのこ７内の茶碗蒸し等の食品を蒸し調理するための調理容器１２を構成している。なお、上記すのこ７を用いずに、角皿６と蓋８を用いて餃子等の蒸し焼き調理を行うことができ、また角皿６のみを用いて肉や魚等の焼き調理を行うこともできる。
【００２０】
また、図示はしないが、加熱室２の後面２ｅの裏側には、シーズヒータ等から成るオーブンヒータを有する熱風循環ユニットが内蔵されており、オーブン調理時には加熱室２内に熱風が吹き出されるように構成されている。また、加熱室２の上面２ａの裏側には平面ヒータ等から成るグリルヒータが配置されている。さらに、加熱室の右側面２ｄの上部には、加熱室２内を走査して被調理食品の各部の温度を検知する赤外線温度センサが設けられている。
【００２１】
そして、図２に示すように、コントロールパネル４の操作部４ａには、操作しやすいように大きめに形成された３つの操作用ツマミＡ，Ｂ，Ｃが縦列に近接して配置されており、一番上に配置された操作用ツマミＡには二重構造の中央部にスタートボタン４０が配置されている。一番上の操作用ツマミＡは、手動調理メニュー、すなわち出力や温度や時間を任意に設定して行えるレンジ（マイクロ波）調理やオーブン調理やグリル調理等を表示部に表示される中から選択設定するツマミで、出力（例えば１０００Ｗ，７００Ｗ，・・・等）や温度や時間は他のツマミＢ，Ｃを用いて別途設定する。真ん中の操作用ツマミＢは、上記手動調理メニュー設定用のツマミＡでレンジ調理が設定された場合の出力を設定する機能と、オーブン調理やグリル調理が設定された場合の温度を設定する機能が割り当てられている。一番下の操作用ツマミＣは、ドア３の前面下部等に表記された自動調理メニュー、すなわちグラタンや茶碗蒸し等の具体的な調理をそれらに付された番号を表示部４ｂに表示される番号の中から選択設定する機能と、上記操作用ツマミＡで手動調理メニューが設定された場合の時間を設定する機能が割り当てられている。また、上記操作用ツマミＡと二重構造に設けられたスタートボタン４０は、単なる暖め調理や、上述した自動調理メニュー設定後、あるいは手動調理メニュー設定時においては全ての設定項目の設定完了後に、調理（加熱）をスタートさせるボタンである。
【００２２】
上記各操作用ツマミＡ，Ｂ，Ｃは、図３のブロック図に示すように、それぞれダイヤルエンコーダ５１〜５３や入力回路５４〜５６を介して本発明の制御手段を構成するマイコン等から成る制御回路５７に接続され、また、スタートボタン４０はタクトスイッチ５８や入力回路５９を介して制御回路５７に接続されて、それぞれの操作入力が制御回路５７を構成するマイコンに入力されるようになっている。
【００２３】
また、上記制御回路５７には、表示回路６０〜６４を介して、前述した表示部４ａと、前記スタートボタン４０や操作用ツマミＢ，Ｃに対応して設けられた報知手段としてのスタートボタン用ＬＥＤ４１やツマミＢ用ＬＥＤ４２，ツマミＣ用ＬＥＤ４３が接続される一方、駆動回路６４〜６６を介して、前述したように配置されたマグネトロン６７やオーブンヒータ６８やグリルヒータ６９が接続されている。なお、上記ＬＥＤ４１〜４３は点灯しないと良く分からないため前記図１，図２の外観図では図示していないが、スタートボタン用ＬＥＤ４１はスタートボタン４０内に、ツマミＢ用ＬＥＤ４２とツマミＣ用ＬＥＤ４３はそれぞれツマミＢとツマミＣの直ぐ上に、点灯した状態が良く見えるように内装されている。
【００２４】
かかる構成において、本実施形態の動作の要部を図４〜図６に示すフローチャートを参照しながら説明する。
【００２５】
使用者が調理を行うため、電子レンジ本体１のドア３を開けて、被調理食品を加熱室２内に入れドア３を閉じると、パワーオフ状態にある制御回路５７のマイコン等に電源が投入されて図４のフローチャートで示す処理がスタートし、まず所定の初期化処理が行われる（ステップＳ１）。
【００２６】
初期化処理が終了すると、最初に操作部４ａのスタートボタン４０が押されたか否かをチェックする（ステップＳ２）。あたため調理の場合は事前の設定が不要でスタートボタン４０を押すだけで調理が可能であるため、ここでスタートボタン４０が押されたのを検知すると、ステップＳ３に移行して、あたため調理の条件（例えば７５℃加熱）を読み出し（ステップＳ３）、あたため調理を実行する（ステップＳ４）。あたため調理は、マイクロ波を被調理食品に照射して加熱し、前述した赤外線温度センサで走査して得られる被調理食品の各部の温度が例えば７５℃になると自動的に調理が終了する。
【００２７】
一方、上記ステップＳ２で、スタートボタン４０が押されていないのを検知すると、ステップＳ５に進んで操作部４ａのツマミＣ，すなわち自動調理メニュー設定機能と時間設定機能を有するツマミＣが操作されたか否かをチェックする。ここで、ツマミＣが操作されれば（ステップＳ５のＹＥＳ）、ステップＳ６に進んで図６に示す処理Ａ（サブルーチン）に移行する。
【００２８】
図６に示す処理Ａに移行すると、まずオーブンやマイクロ波加熱の運転中か否かをチェックし（ステップＳ１００）、運転中でなければ次のステップＳ１０１に進んで他のツマミ（ここではツマミＡ，Ｂ）が操作されていないかどうかをチェックする。他のツマミが操作中でなければ、次のステップ１０２に進んで、さらに他のツマミが操作されてからＴ秒（数秒程度の一定時間）経過したか否かをチェックする。他のツマミが操作中でなく操作されていても操作されてからＴ秒以上経過しておれば、当該ツマミＣの操作入力の受付制御を行って（ステップＳ１０１のＹＥＳ→ステップＳ１０２のＹＥＳ→ステップＳ１０３）、前記図４に示したメインルーチンに戻る。
【００２９】
一方、他のツマミが操作中か又は操作されてからＴ秒経過していなければ、ツマミＣの操作入力の受付制御は行わずに当該処理Ａを終了して図４に示したメインルーチンに戻る（ステップＳ１０１のＮＯ又はステップＳ１０２のＮＯ）。また、この処理Ａの最初のステップＳ１００で、オーブンやマイクロ波加熱の運転中であればステップＳ１０４に移行して、運転中に可能な操作内容か否かをチェックする。運転中に可能な操作内容であれば、他のツマミが操作中か否かをチェックする前記ステップＳ１０１に移行するが、運転中に可能な操作内容でなければ、ツマミＣの操作入力の受付制御は行わずに当該処理Ａを終了して図４に示したメインルーチンに戻る（ステップＳ１０４のＮＯ）。
【００３０】
図４のメインルーチンに戻ると、前記処理Ａに移行したステップＳ６の次のステップＳ７に進んで、処理Ａで制御が受け付けられたか否かをチェックし、受け付けられていなければ前記ステップＳ２からの処理を繰り返す。受け付けられておれば、ツマミＣの回転量に応じた自動調理番号，すなわちドア３の前面下部等に表記された自動調理メニューの番号を表示部４ｂに表示し（ステップＳ７のＹＥＳ→ステップＳ８）、スタートボタン用インジケータ，すなわちスタートボタン用ＬＥＤ４１を点滅する（ステップＳ９）。そして、次のステップＳ１０で、スタートボタン４０が押されたか否かをチェックし、スタートボタン４０が押されれば、ステップＳ１１に移行して、選択された自動調理メニューの調理条件（加熱源，出力，温度，時間等）を読み出し、読み出した調理条件に基づき選択された自動調理メニューの調理を実行する（ステップＳ１２）。前記ステップＳ１０でスタートボタン４０が押されていない場合は、再度ツマミＣが操作されたか否かをチェックしながら、スタートボタン４０が押されるのを待ち（ステップＳ１０のＮＯ→ステップＳ１３のＮＯ→ステップＳ１０のループ）、スタートボタン４０が押されれば上述した処理を実行する。
【００３１】
また、調理メニュー変更等でスタートボタン４０が押されることなく再度ツマミＣが操作されたか、誤ってツマミＣに接触して操作された場合には、次のステップＳ１４で図６に示した処理Ａ（サブルーチン）に移行し、前述したと同様の処理を行う。処理Ａを終了すると、次のステップＳ１５に進んで、前記と同様に処理Ａで制御が受け付けられたか否かをチェックし、受け付けられていなければスタートボタン押下待ちのため前記ステップＳ１０からの処理を繰り返し、受け付けられておれば、回転量に応じた自動調理番号表示のステップＳ８からの処理を繰り返す。
【００３２】
一方、前記ステップＳ５で、ツマミＣが操作されない場合には、ステップＳ１６に移行して、手動調理メニュー設定用のツマミＡが操作されたか否かをチェックし、ツマミＡも操作されない場合は前記ステップＳ２からの処理を繰り返す。ここで、ツマミＡが操作されれば（ステップＳ１６のＹＥＳ）、ステップＳ１７に進んで図６に示した処理Ａ（サブルーチン）に移行する。
【００３３】
図６に示す処理Ａに移行すると、前記同様まずオーブンやマイクロ波加熱の運転中か否かをチェックし（ステップ１００）、運転中でなければ次のステップＳ１０１に進んで他のツマミ（ここではツマミＢ，Ｃ）が操作されていないかどうかをチェックする。他のツマミが操作中でなければ、次のステップ１０２に進んで、さらに他のツマミが操作されてからＴ秒経過したか否かチェックする。他のツマミが操作中でなく操作されていても操作されてからＴ秒以上経過しておれば、当該ツマミＡの操作入力の受付制御を行って（ステップＳ１０１のＹＥＳ→ステップＳ１０２のＹＥＳ→ステップＳ１０３）、前記図４に示したメインルーチンに戻る。
【００３４】
一方、他のツマミが操作中か又は操作されてからＴ秒経過していなければ、ツマミＡの操作入力の受付制御は行わずに当該処理Ａを終了して図４に示したメインルーチンに戻る（ステップＳ１０１のＮＯ又はステップＳ１０２のＮＯ）。また、この処理Ａの最初のステップＳ１００で、オーブンやマイクロ波加熱の運転中であればステップＳ１０４に移行して、運転中に可能な操作内容か否かをチェックする。運転中に可能な操作内容であれば、他のツマミが操作中か否かをチェックする前記ステップＳ１０１に移行するが、運転中に可能な操作内容でなければ、ツマミＡの操作入力の受付制御は行わずに当該処理Ａを終了して図４に示したメインルーチンに戻る（ステップＳ１０４のＮＯ）。
【００３５】
図４のメインルーチンに戻ると、前記処理Ａに移行したステップＳ１７の次のステップＳ１８に進んで、処理Ａで制御が受け付けられたか否かをチェックし、受け付けられていなければ前記ステップＳ２からの処理を繰り返す。受け付けられておれば、図５に移ってツマミＡの回転量に応じた手動調理メニューを表示部４ｂに表示し（図４のステップＳ１８のＹＥＳ→図５のステップＳ１９）、手動調理メニューに応じて予め決めらている操作可能なツマミＢ又はＣを示すＬＥＤ４２又は４３を点滅する（ステップＳ２０）。次のステップＳ２１では、再度ツマミＡが操作されたか否かをチェックし、調理メニュー変更等で次に操作可能なツマミが操作されることなく再度ツマミＡが操作されたか、誤ってツマミＡに接触して操作された場合には、ステップＳ２２に移行して前記図６に示した処理Ａ（サブルーチン）に移行し、前述したと同様の処理を行う。処理Ａを終了すると、次のステップＳ２３に進んで、前記と同様に処理Ａで制御が受け付けられたか否かをチェックし、受け付けられておれば、回転量に応じた手動調理メニュー表示のステップＳ１９からの処理を繰り返すが、受け付けられていなければステップＳ２４に移行して、ＬＥＤが点滅しているツマミが操作されたか否かをチェックする。ここで、ＬＥＤが点滅しているツマミが操作されれば、ステップＳ２５に移行して前記図６に示した処理Ａ（サブルーチン）に移行する。
【００３６】
図６に示す処理Ａに移行すると、前記同様まずオーブンやマイクロ波加熱の運転中か否かをチェックし（ステップ１００）、運転中でなければ次のステップＳ１０１に進んで他のツマミ（ＬＥＤが点滅しているツマミ以外のツマミ）が操作されていないかどうかをチェックする。他のツマミが操作中でなければ、次のステップ１０２に進んで、さらに他のツマミが操作されてからＴ秒経過したか否かチェックする。他のツマミが操作中でなく操作されていても操作されてからＴ秒以上経過しておれば、当該ツマミの操作入力の受付制御を行って（ステップＳ１０１のＹＥＳ→ステップＳ１０２のＹＥＳ→ステップＳ１０３）、前記図５に示したメインルーチンに戻る。
【００３７】
一方、他のツマミが操作中か又は操作されてからＴ秒経過していなければ、当該ツマミの操作入力の受付制御は行わずに処理Ａを終了して前記図５に示したメインルーチンに戻る（ステップＳ１０１のＮＯ又はステップＳ１０２のＮＯ）。また、この処理Ａの最初のステップＳ１００で、オーブンやマイクロ波加熱の運転中であればステップＳ１０４に移行して、運転中に可能な操作内容か否かをチェックする。運転中に可能な操作内容であれば、他のツマミが操作中か否かをチェックする前記ステップＳ１０１に移行するが、運転中に可能な操作内容でなければ、当該ツマミの操作入力の受付制御は行わずに処理Ａを終了して前記図５に示したメインルーチンに戻る（ステップＳ１０４のＮＯ）。
【００３８】
図５のメインルーチンに戻ると、前記処理Ａに移行したステップＳ２５の次のステップＳ２６で処理Ａで制御が受け付けられたか否かをチェックし、受け付けられていなければステップＳ２８に移行するが、受け付けられておれば、設定された条件を表示部４ｂに表示して前記ステップＳ２０に戻って次に設定可能なツマミを示すＬＥＤを点滅して前述した処理を繰り返す。
【００３９】
一方、前記ステップＳ２４でＬＥＤが点滅しているツマミが操作されない場合または操作されても前記ステップＳ２５，Ｓ２６でそれが受け付けられなかった場合には、ステップＳ２８に移行して、手動調理メニュー毎に予め定められた手動運転開始条件が全て設定されたか否かをチェックし、設定されていなければ前記ステップＳ１９に戻って上述した処理を繰り返す。
【００４０】
上記ステップＳ２８で手動運転開始条件が全て設定されたと判定されると、ステップＳ２９に進んでスタートボタン用インジケータ（ＬＥＤ４１）を点滅し、次のステップ３０でスタートボタン４０が押されたか否かをチェックする。ここでスタートボタン４０が押されなければ、前記ステップＳ２０に戻って上述した処理を繰り返すが、スタートボタン４０が押されると、ステップＳ３１に進んで、設定された手動調理メニューの調理を設定された条件で実行し、この調理が完了すると処理を終了する。
【００４１】
以上のように、この電子レンジ（オーブンレンジ）によれば、３つの操作用ツマミＡ，Ｂ，Ｃのうちの１つのツマミを操作している間やその後一定時間（Ｔ秒）は、他のツマミの操作入力を受け付けないように制御することから、使用者が１つのツマミを操作している間や操作後に手を移動する際等、使用者の意図しない状況で他のツマミに接触したときにも、その操作入力は受け付けられないので混乱を招くことなく意図している操作を継続することができ、操作性の向上につなげることができる。例えば、図５に示したフローチャート中において、ステップＳ２０で例えば出力や温度を設定可能なツマミＢを示すＬＥＤ４２が点滅し、このツマミＢを操作している間又は操作後に手を移動する際に、その上に近接して配置された手動調理メニュー設定用のツマミＡに手が触れてツマミＡが回転してしまっても、ステップＳ２１から移行するステップＳ２２で実行される図６に示した処理Ａによって、ツマミＡの操作入力は受け付けられないので、既に受け付けられてステップＳ１９で表示部４ａに表示された手動調理メニューが突然変更されるような使用者に混乱を招くようなことがなくなり、使用者は意図している操作を継続することができる。
【００４２】
また、本実施形態においては、３つの操作用ツマミＡ，Ｂ，Ｃを近接して配置したことにより、本来相反する操作性の向上と操作部４ａの省スペース化を共に実現することができ、その分、前述したように大きな液晶表示器を用いて表示部４ｂを大型化することも可能となり、これにより多くの情報を見やすく表示できるようになる。
【００４３】
さらに、操作用ツマミＡ〜Ｃの操作入力を受け付けた後にＬＥＤ４１〜４３を用いて次の操作対象を指示するようにしたことにより、使用者は次に操作すべき操作対象を容易に知ることができるので、更なる操作性の向上を図ることができる。
【００４４】
また、３つの操作用ツマミＡ，Ｂ，Ｃのうち２つの操作用ツマミＢ，Ｃにそれぞれ２つの機能を割り当てたことにより、本来なら５つのツマミが必要なところを３つとツマミの数をかなり少なくできるので、更なる省スペース化を図ることができる。
【００４５】
なお、上記実施形態では、本発明を電子レンジ（オーブンレンジ）に適用した場合について説明したが、本発明はこれに限らず、電磁調理器やガスレンジ等の各種の加熱調理器に適用しても前記実施形態と同様な作用効果が期待できる。
【図面の簡単な説明】
【００４６】
【図１】本発明の加熱調理器の一実施形態である電子レンジの外観斜視図である。
【図２】同じく電子レンジの正面図である。
【図３】上記電子レンジの制御系統の要部を示すブロック図である。
【図４】同じく制御の要部を表すフローチャートの一部を示す図である。
【図５】上記図４に続くフローチャートを示す図である。
【図６】上記図４，図５中の処理Ａのフローチャートを示す図である。
【符号の説明】
【００４７】
１    電子レンジ本体
２    加熱室
３    ドア
４  コントロールパネル
４ａ  操作部
４ｂ  表示部
Ａ〜Ｃ  操作用ツマミ
４０    スタートボタン
４１    スタートボタン用ＬＥＤ
４２    ツマミＢ用ＬＥＤ
４３    ツマミＣ用ＬＥＤ
５７    制御回路
６７    マグネトロン
６８    オーブンヒータ
６９    グリルヒータ
【図１】
2006105427.tif 000003
【図２】
2006105427.tif 000004
【図３】
2006105427.tif 000005
【図４】
2006105427.tif 000006
【図５】
2006105427.tif 000007
【図６】
2006105427.tif 000008